(57)【要約】【課題】隔て板が取り外された隔て枠の開口部のプライバシーの保護が図れ、異なる寸法の隔て枠への取付を容易に行えるようにした簡易作業扉を提供する。【解決手段】隔て枠５の開口部７を塞ぐ板部材１１と、板部材の四隅部に取り付けられる係止具２０とで構成する。係止具は、板部材に設けられた貫通孔を挿通する本体２１と、本体にスライド可能に取り付けられる挟持部材４０と、を具備し、本体は、板部材の貫通孔内に回動自在に挿通される挿通部２２と、表面に連続する凹凸状の係止歯部２７が形成される軸部２４と、挿通部の基端に設けられるフランジ部２５と、フランジ部の表面に突設される操作摘み部２５ａと、を具備し、挟持部材は、軸部の挿通孔部４１を有する押え部４２と、挿通孔部の内方に向かって突設され、係止歯部にスライド係止可能に係合する弾性変形可能な係止爪部４３と、を具備する。【選択図】図３
2015048664.tif 000002
【特許請求の範囲】
【請求項１】
集合住宅等のベランダにおける隣家間の境界部分に設置される隔て板を、建物改修等の期間中に開閉可能にすべく設けられる簡易作業扉であって、
開放状態の隔て枠に四辺が掛かる面積を有すると共に、四隅部に貫通孔が設けられる板部材と、該板部材の四隅に設けられた上記貫通孔を介して設けられる係止具とで構成され、
上記係止具は、上記板部材に設けられた上記貫通孔を挿通する本体と、上記本体にスライド可能に取り付けられる挟持部材と、を具備し、
上記本体は、上記板部材に設けられた上記貫通孔内に回動自在に挿通される挿通部と、該挿通部の先端に延出され、表面に連続する凹凸状の係止歯部が長手方向に形成される軸部と、上記挿通部の基端に設けられるフランジ部と、該フランジ部の表面に突設される操作摘み部と、を具備し、
上記挟持部材は、上記軸部が挿通可能な挿通孔部を有する押え部と、上記挿通孔部の内方に向かって突設され、上記係止歯部にスライド係止可能に係合する弾性変形可能な係止爪部と、を具備し、
上記板部材に設けられた上記貫通孔に上記係止具の軸部及び挿通部を挿通した状態で、板部材に係止具を回動可能に挿通し、
上記隔て枠の一側面に上記板部材を当接させ、上記挟持部材をスライド移動させると共に、隔て枠の他側面に上記押え部を当接させて上記板部材との間に隔て枠を挟持することにより隔て枠の開口部を閉塞し、上記操作摘み部の回動により挟持部材が連動して挟持状態が解除され、隔て枠の開口部を開放する、
ことを特徴とする簡易作業扉。
【請求項２】
請求項１に記載の簡易作業扉において、
上記係止具は、上記本体を挿通する挿通孔を有する固定座金を更に具備し、
上記本体の挿通部に、上記固定座金を固定する固定爪部を設け、
上記板部材に設けられた上記貫通孔と上記固定座金の挿通孔に上記係止具の軸部及び挿通部を挿通した状態で、上記挿通部の固定爪部で上記固定座金を固定することで、板部材に係止具を回動可能に挿通する、ことを特徴とする簡易作業扉。
【請求項３】
請求項１又は２に記載の簡易作業扉において、
上記係止具の軸部の対向する表面に上記係止歯部が形成され、上記挟持部材は、上記係止歯部にそれぞれスライド係止可能に係合する一対の係止爪部を具備する、ことを特徴とする簡易作業扉。
【請求項４】
請求項１ないし３のいずれかに記載の簡易作業扉において、
上記挟持部材は、上記板部材の閉塞状態において、上記隔て枠の内周面に当接する位置規制突起を更に具備する、ことを特徴とする簡易作業扉。
【請求項５】
請求項１ないし４のいずれかに記載の簡易作業扉において、
上記係止具の軸部の一側面に長手方向に沿って設けられるガイド溝と、上記挟持部材の挿通孔部の内方に突出する位置決め突起とをスライド係合可能に形成してなる、ことを特徴とする簡易作業扉。
【発明の詳細な説明】
【技術分野】
【０００１】
この発明は、集合住宅等のベランダにおける隣家間の境界部分に設置される隔て板を、建物改修等の期間中に開閉可能にすべく設けられる簡易作業扉に関するものである。
【背景技術】
【０００２】
一般に、マンション等の集合住宅の改修時には、作業者の移動のために建物外側に足場を組み、ベランダを乗り越えて移動する必要があり、それが作業者の負担となっていた。
【０００３】
この問題を解決すべく、出願人は、ベランダの隣家間の仕切りとして設けられる隔て板を開閉可能にする提案を行っている（特許文献１，２参照）。
【０００４】
しかしながら、これらの隔て板は平常時も使用するため、住人の美観を満足できるような仕上がりとなっており、工事の際に作業者が隔て板を操作・移動して傷を付けてしまった場合、交換や補修費用が嵩む懸念がある。
【０００５】
工事期間中であっても、住人のプライバシー保護のため、隔て板を開放しておく訳にはいかず、より簡易な隔て板が必要とされている。隔て板を取り外した隔て枠の開口部を閉塞する簡易な手段として、例えば、隔て枠と、該隔て枠の開口部を閉塞する板部材とに面ファスナーを貼着して着脱可能にするものや、板部材と隔て枠とをロープで固定するなどの手段が考えられるが、いずれも有効でない。
【０００６】
一方、建物の補修作業時において、隔て板を外した開口部を作業用通路とし、作業終了時に開口部を塞ぐ仕切り板が提案されている（例えば、特許文献３参照）。
【０００７】
特許文献３に記載の仕切り板は、隔て板を外した開口部を塞ぐ板部の一端から該板部の外側に突設された一方の係止部（留め具）と、該係止部と反対側の他端から板部の外側に突設された他方の係止部（保持金具）を備え、板部を隔て枠の一方の枠材側への移動によって、その一方の枠材に一方の係止部（留め具）を着脱可能に係止し、その後、隔て枠の他方の枠材側への移動によって、その他方の枠材に他方の係止部（保持金具）を着脱可能に係止させる構造である。なお、特許文献３に記載のものにおいて、両係止部（留め具，保持金具）は、それぞれ長さの異なる前構成板と後構成板とで構成されている。
【先行技術文献】
【特許文献】
【０００８】
【特許文献１】特開２０１２−１０７４５８号公報
【特許文献２】特開２０１２−１９３５４９号公報
【特許文献３】特開２０１２−５２３４４号公報
【発明の概要】
【発明が解決しようとする課題】
【０００９】
しかしながら、特許文献３に記載のものにおいては、板部を取り付けるには、まず、板部を上下方向において傾けながら、その上端側と一方の係止部（留め金具）を開口部に挿入しで係止部（留め金具）の前構成板と後構成板を隔て枠の上方の枠材に係合させ、その後、板部を下方へ移動させて係止部（保持金具）の前構成板と後構成板を隔て枠の下方の枠材に係合させる。そのため、上方の枠材と板部との間に隙間が生じてしまい、プライバシーの保護に問題が生じる。
【００１０】
また、両係止部（留め具，保持金具）を構成する前構成板と後構成板は、ボルト，ナットやビス等の固定手段によって板部に固定され、隔て枠の寸法の相違に合わせて前構成板と後構成板を固定する必要があるため、板部への取り付けが面倒であるという懸念がある。
【００１１】
この発明は、上記事情に鑑みてなされたもので、隔て板が取り外された隔て枠の開口部のプライバシーの保護が図れ、異なる寸法の隔て枠への取付を容易に行えるようにした簡易作業扉を提供することを目的とする。
【課題を解決するための手段】
【００１２】
上記課題を解決するため、この発明に係る簡易作業扉は、集合住宅等のベランダにおける隣家間の境界部分に設置される隔て板を、建物改修等の期間中に開閉可能にすべく設けられる簡易作業扉であって、  開放状態の隔て枠に四辺が掛かる面積を有すると共に、四隅部に貫通孔が設けられる板部材と、該板部材の四隅に設けられた上記貫通孔を介して設けられる係止具とで構成され、  上記係止具は、上記板部材に設けられた上記貫通孔を挿通する本体と、上記本体にスライド可能に取り付けられる挟持部材と、を具備し、  上記本体は、上記板部材に設けられた上記貫通孔内に回動自在に挿通される挿通部と、該挿通部の先端に延出され、表面に連続する凹凸状の係止歯部が長手方向に形成される軸部と、上記挿通部の基端に設けられるフランジ部と、該フランジ部の表面に突設される操作摘み部と、を具備し、  上記挟持部材は、上記軸部が挿通可能な挿通孔部を有する押え部と、上記挿通孔部の内方に向かって突設され、上記係止歯部にスライド係止可能に係合する弾性変形可能な係止爪部と、を具備し、  上記板部材に設けられた上記貫通孔に上記係止具の軸部及び挿通部を挿通した状態で、板部材に係止具を回動可能に挿通し、  上記隔て枠の一側面に上記板部材を当接させ、上記挟持部材をスライド移動させると共に、隔て枠の他側面に上記押え部を当接させて上記板部材との間に隔て枠を挟持することにより隔て枠の開口部を閉塞し、上記操作摘み部の回動により挟持部材が連動して挟持状態が解除され、隔て枠の開口部を開放する、ことを特徴とする。
【００１３】
この場合、上記係止具は、上記本体を挿通する挿通孔を有する固定座金を更に具備し、上記本体の挿通部に、上記固定座金を固定する固定爪部を設け、上記板部材に設けられた上記貫通孔と上記固定座金の挿通孔に上記係止具の軸部及び挿通部を挿通した状態で、上記挿通部の固定爪部で上記固定座金を固定することで、板部材に係止具を回動可能に挿通するのが好ましい。
【００１４】
上記のように構成することにより、板部材の四隅部に係止具の本体を回動可能に固定し、隔て枠の一側面に板部材を当接させ、挟持部材をスライド移動させると共に、隔て枠の他側面に挟持部材の押え部を当接させて板部材との間に隔て枠を挟持することにより隔て枠の開口部を閉塞することができる。また、操作摘み部をもって挿通部及び軸部を回動することにより挟持部材が連動して回動して挟持状態を解除し、板部材を隔て枠の開口部から取り外して隔て枠の開口部を開放することができる。
【００１５】
この発明において、上記係止具の軸部の対向する表面に上記係止歯部が形成され、上記挟持部材は、上記係止歯部にそれぞれスライド係止可能に係合する一対の係止爪部を具備するのが好ましい。
【００１６】
このように構成することにより、係止具の本体に対して挟持部材を表裏反転させて取り付けることができる。
【００１７】
また、この発明において、上記挟持部材は、上記板部材の閉塞状態において、上記隔て枠の内周面に当接する位置規制突起を更に具備するのが好ましい。
【００１８】
このように構成することにより、隔て枠の開口部を板部材が閉塞した状態において、板部材の横移動を位置規制突起によって規制することができる。
【００１９】
加えて、この発明において、上記係止具の軸部の一側面に長手方向に沿って設けられるガイド溝と、上記挟持部材の挿通孔部の内方に突出する位置決め突起とをスライド係合可能に形成してなるのが好ましい。
【００２０】
このように構成することにより、係止具の軸部の一側面に長手方向に沿って設けられるガイド溝に、挟持部材の挿通孔部の内方に突出する位置決め突起をスライド係合させて挟持部材を取り付けることができるので、挟持部材の取付を容易かつ正確にすることができる。
【発明の効果】
【００２１】
この発明によれば、上記のように構成されているので、以下のような優れた効果が得られる。
【００２２】
板部材の四隅部に設けられた貫通孔に係止具の軸部及び挿通部を挿通した状態で、挿通部の固定爪部で固定座金を固定することで、板部材に係止具の本体を回動可能に固定し、隔て枠の一側面に板部材を当接させ、挟持部材をスライド移動させると共に、隔て枠の他側面に挟持部材の押え部を当接させて板部材との間に隔て枠を挟持することにより隔て枠の開口部を閉塞することができるので、隔て板が取り外された隔て枠の開口部のプライバシーの保護が図れ、異なる寸法の隔て枠への取付を容易にすることができる。
【００２３】
また、操作摘み部の回動により挟持部材が連動して挟持状態が解除され、隔て枠の開口部を開放することができるので、隔て枠への着脱を容易にすることができる。
【００２４】
また、係止具の本体に対して挟持部材を表裏反転させて取り付けることができるので、１種類の係止具によって板部材の左右箇所への取付が可能となり、構成部材の削減を図ることができる。
【００２５】
また、挟持部材は、板部材の閉塞状態において、隔て枠の内周面に当接する位置規制突起を具備することにより、隔て枠の開口部を板部材が閉塞した状態において、板部材の横移動を位置規制突起によって規制することができるので、板部材が隔て枠から外れるのを防止することができる。
【００２６】
更に、係止具の軸部の一側面に長手方向に沿って設けられるガイド溝に、挟持部材の挿通孔部の内方に突出する位置決め突起をスライド係合させて挟持部材を取り付けることができるので、挟持部材の取付を容易かつ正確にし、板部材への係止具の取付作業を容易にすることができる。
【図面の簡単な説明】
【００２７】
【図１】この発明に係る簡易作業扉の使用状態を示す概略正面図である。
【図２】この発明に係る簡易作業扉の使用状態の要部を示す拡大正面図である。
【図３】図２のＩ−Ｉ線に沿う断面図である。
【図４】図３のII−II線に沿う断面図である。
【図５】この発明における係止具の挟持部材を取り付ける前の状態を示す斜視図である。
【図６】上記簡易作業扉の閉塞状態を示す斜視図である。
【図７】この発明における挟持部材が挟持状態を解除した状態を示す斜視図である。
【図８】この発明における係止具の分解斜視図である。
【図９】この発明における係止具本体の正面図（ａ）、平面図（ｂ）、底面図（ｃ）、右側面図（ｄ）及び正面縦断面図（ｅ）である。
【図１０】この発明における挟持部材の正面図（ａ）、左側面図（ｂ）、右側面図（ｃ）、背面図（ｄ）及び（ｄ）のIII−III線に沿う断面図（ｅ）である。
【発明を実施するための形態】
【００２８】
以下に、この発明に係る簡易作業扉の実施形態を添付図面に基づいて詳細に説明する。
【００２９】
この発明に係る簡易作業扉１０（以下に作業扉１０という）は、図１及び図２に示すように、集合住宅等のベランダ２における隣家間の境界部分の建物の躯体３とベランダ２のスラブ４に設置固定される隔て板１を構成する隔て枠５に着脱可能に取り付けられて使用される。
【００３０】
隔て板１は、該隔て板１を構成する方形状に形成された一対の側枠５ａと、上部横枠５ｂ，下部横枠５ｃ及び仕切り横枠５ｄからなるアルミニウム製の隔て枠５と、隔て枠５内に嵌め込まれる例えば珪酸カルシウムボードや、フレキシブルボード（繊維強化セメント板）のような破壊可能な材料からなる板材６とで構成されている。
【００３１】
作業扉１０は、両側枠５ａと仕切り横枠５ｄと下部横枠５ｃによって開設される開口部７に閉塞及び開口可能に取り付けられる矩形状の板部材１１と、板部材１１の四隅部にそれぞれ取り付けられる係止具２０とを具備している。
【００３２】
板部材１１は、例えばプラスチック製段ボールにて形成されており、四隅部にはそれぞれ貫通孔１２が設けられている。
【００３３】
係止具２０は、板部材１１に設けられた貫通孔１２を挿通する本体２１と、本体２１を挿通する挿通孔３１を有する固定座金３０と、本体２１にスライド可能に取り付けられる挟持部材４０とで構成されている。
【００３４】
本体２１は、図９に示すように、板部材１１に設けられた貫通孔１２の孔径より若干小径に形成されて貫通孔１２内に回動自在に挿通される挿通部２２と、挿通部２２の先端に段部２３を介して延出される軸部２４と、挿通部２２の基端に設けられるフランジ部２５とを具備している。
【００３５】
挿通部２２は、固定座金３０を固定する固定爪部２６を有している。この場合、固定爪部２６は、対向する上下の２箇所から軸部２４側に向かって突設されており、先端が狭小テーパ状の弾性変形可能に形成されている。
【００３６】
挿通部２２の先端に延在する軸部２４は、断面略矩形状に形成されており、対向する表面には、連続する凹凸状の係止歯部２７が長手方向に形成されている。この場合、係止歯部２７は、鉛直部と傾斜部とが連続する凹凸状に形成されており、両係止歯部２７の向きが逆に形成されている（図９（ａ），（ｅ）参照）。軸部２４における係止歯部２７を設けた側面に対して直交する側面部は、長手方向の両端部と２つのリブ２８ａによって３つの中空部２８ｂが設けられており、一方の側面部における先端部とリブ２８ａの側面中央部には長手方向に沿うガイド溝２９が設けられている。複数の中空部２８ｂを設けることにより、本体２１の軽量化が図れると共に、材料の削減が図れる。
【００３７】
フランジ部２５は、円板状に形成されており、フランジ部２５の表面には、フランジ部２５の直径方向に沿って半円弧状の操作摘み部２５ａが突設されている。
【００３８】
挟持部材４０は、図１０に示すように、軸部２４が挿通可能な略矩形筒状の挿通孔部４１を有する押え部４２と、挿通孔部４１の内方に向かって突設され、係止歯部２７にスライド係止可能に係合する弾性変形可能な係止爪部４３と、を具備している。また、挟持部材４０の挿通孔部４１の１側辺には、挿通孔部４１の内方に向かって突出する位置決め突起４６が設けられている。この位置決め突起４６は、係止具２０の軸部２４に設けられたガイド溝２９にスライド係合可能になっている。
【００３９】
この場合、押え部４２は、挿通孔部４１を有する基部から一側方に延在する先端部が狭小テーパ状の略台形板状に形成されると共に、先端部及び先端部に隣接する一方の側辺部の厚さが狭小テーパ状に形成され、また、全体に３つの中空部４４ａが設けられている。また、挿通孔部４１を有する基部における挿通孔部４１の左右両側には略矩形状の中空部４４ｂが設けられている。これら中空部４４ａ，４４ｂを設けることにより、挟持部材４０の軽量化が図れると共に、材料の削減が図れる。
【００４０】
また、押え部４２における他方の側辺部の表裏面には、隔て枠５の内周面に当接可能な位置規制突起４５が突設されている。この位置規制突起４５は、押え部４２の他側辺に沿って設けられる当接片４５ａと、当接片４５ａの上端から直交状に屈曲する上部片４５ｂとからなる断面略Ｌ字状に形成されている。
【００４１】
また、押え部４２の挿通孔部４１に設けられる係止爪部４３は、挟持部材４０の両面における略矩形筒状の挿通孔部４１の対向する辺部に設けられている。この係止爪部４３は、挿通孔部４１の長手方向の端部における内周面に突出する爪片４３ａと、爪片４３ａの外方に延出する翼片４３ｂとからなり、翼片４３ｂを押圧することで、爪片４３ａの先端が外方に変位し得るように形成されている。
【００４２】
上記のように構成された係止具２０の本体２１と挟持部材４０は、例えばポリプロピレン等の合成樹脂製部材にて形成されている。
【００４３】
次に、上記のように構成された係止具２０を板部材１１に取り付ける手順と、隔て枠５への取り付け及び取り外しについて、図５ないし図７を参照して説明する。
【００４４】
まず、板部材１１に設けられた貫通孔１２に固定座金３０の挿通孔３１を合わせた状態で、係止具２０の軸部２４及び挿通部２２を挿通する。この状態で、挿通部２２の固定爪部２６で固定座金３０を固定することで、板部材１１に係止具２０を回動可能に挿通する（図５参照）。なお、板部材１１に設けられた貫通孔１２に係止具２０の軸部２４及び挿通部２２を挿通した後に、固定座金３０を軸部２４の先端側から移動して挿通孔３１に係止具２０の挿通部２２を挿通してもよい。
【００４５】
上記のようにして、板部材１１の四隅部に設けられた貫通孔１２にそれぞれ係止具２０の本体２１を回動可能に固定する。
【００４６】
次に、隔て枠５の一側面に板部材１１を当接させた状態で、係止具２０の軸部２４の先端側から挟持部材４０の挿通孔部４１に設けられた位置決め突起４６を軸部２４の一側面に設けられたガイド溝２９に係合させて、挟持部材４０をスライド移動させると共に、隔て枠５の他側面に押え部４２を当接させて板部材１１との間に隔て枠５を挟持する（図６参照）。この際、挟持部材４０をスライド移動させるときの力により、係止爪部４３の爪片４３ａが係止歯部２７を乗り越えて行くが、スライド移動と同時に翼片４３ｂを押圧することで、爪片４３ａの先端が外方に変位して係止歯部２７との係合が解かれるので、スライド移動が容易となる。これにより、隔て枠５の開口部７を閉塞することができる。なお、隔て枠５の開口部７を閉塞した状態では、挟持部材４０に設けられた位置規制突起４５の当接片４５ａが隔て枠５の内周面に当接している。
【００４７】
上記のようにして、板部材１１の四隅部に固定された係止具２０の軸部２４に挟持部材４０をスライド移動させて、板部材１１との間に隔て枠５を挟持する。この際、板部材１１の左右に固定された係止具２０の軸部２４に対して挟持部材４０を表裏反転させて、上記と同様に、位置決め突起４６をガイド溝２９に係合させて、挟持部材４０をスライド移動させる。
【００４８】
隔て枠５の開口部７から板部材１１を取り外す場合は、操作摘み部２５ａをもって係止具２０の本体２１を９０度回動すると、挟持部材４０が連動して挟持状態が解除されるので、隔て枠５の開口部７から板部材１１を取り外して開放することができる（図７参照）。
【００４９】
上記のように構成される実施形態の簡易作業扉１０によれば、板部材１１の四隅部に設けられた貫通孔１２に係止具２０の軸部２４及び挿通部２２を挿通した状態で、挿通部２２の固定爪部２６で固定座金３０を固定することで、板部材１１に係止具２０の本体２１を回動可能に固定し、隔て枠５の一側面に板部材１１を当接させ、挟持部材４０をスライド移動させると共に、隔て枠５の他側面に挟持部材４０の押え部４２を当接させて板部材１１との間に隔て枠５を挟持することにより隔て枠５の開口部７を隙間なく閉塞することができるので、隔て板１の板材６が取り外された隔て枠５の開口部７のプライバシーの保護が図れ、異なる寸法の隔て枠５への取付を容易にすることができる。
【００５０】
また、操作摘み部２５ａの回動により挟持部材４０が連動して挟持状態が解除され、隔て枠５の開口部７を開放することができるので、隔て枠５への着脱を容易にすることができる。
【００５１】
また、係止具２０の本体２１に対して挟持部材４０を表裏反転させて取り付けることができるので、１種類の係止具２０によって板部材１１の左右箇所への取付が可能となり、構成部材の削減を図ることができる。
【００５２】
また、挟持部材４０は、板部材１１の閉塞状態において、隔て枠５の内周面に当接する位置規制突起４５を具備することにより、隔て枠５の開口部７を板部材１１が閉塞した状態において、板部材１１の横移動を位置規制突起４５によって規制することができるので、板部材１１が隔て枠５から外れるのを防止することができる。
【００５３】
更に、係止具２０の軸部２４の一側面に長手方向に沿って設けられるガイド溝２９に、挟持部材４０の挿通孔部４１の内方に突出する位置決め突起４６をスライド係合させて挟持部材４０を取り付けることができるので、挟持部材４０の取付を容易かつ正確にすることができ、板部材１１への係止具２０の取付作業を容易にすることができる。
【符号の説明】
【００５４】
５  隔て枠
７  開口部
１０  簡易作業扉
１１  板部材
１２  貫通孔
２０  係止具
２１  本体
２２  挿通部
２４  軸部
２５  フランジ部
２５ａ  操作摘み部
２６  固定爪部
２７  係止歯部
２９  ガイド溝
３０  固定座金
３１  挿通孔
４０  挟持部材
４１  挿通孔部
４２  押え部
４３  係止爪部
４５  位置規制突起
４６  位置決め突起
【図１】
2015048664.tif 000003
【図２】
2015048664.tif 000004
【図３】
2015048664.tif 000005
【図４】
2015048664.tif 000006
【図５】
2015048664.tif 000007
【図６】
2015048664.tif 000008
【図７】
2015048664.tif 000009
【図８】
2015048664.tif 000010
【図９】
2015048664.tif 000011
【図１０】
2015048664.tif 000012